(57)【特許請求の範囲】
【請求項１】
吸収式冷凍機からなる室外機と、全数もしくは過半数が室外機より下方に設置された複数の室内機との間で、相変化可能な流体を液相と気相との比重差と、液相管に設置した冷房用補助ポンプの吐出力とを利用して循環させ、各室内機において冷房可能に構成すると共に、前記冷房用補助ポンプの吸入側に、暖房運転時に開弁し、冷房運転時に閉弁する開閉弁を介して暖房用ポンプの吐出側を連結し、且つ、この暖房用ポンプの吸入側を前記冷房用補助ポンプの吐出側に設けた、冷房運転時に開弁し、暖房運転時に閉弁する開閉弁と室内機との間に連結し、室外機で吸熱して蒸発した気体を室内機に導入して放熱・凝縮させ、この凝縮した液体を前記暖房用ポンプの吐出力によって室外機に戻し、各室内機において暖房可能に構成した空調装置において、冷房用補助ポンプと暖房用ポンプの吸入側にそれぞれ液面検知手段を有する第１・第２のレシーバタンクを設けると共に、室外機を流れる前記流体の液面を検出する液面検知手段を設け、冷房運転時に、第１のレシーバタンクの液面が所定レベル以上になると冷房用補助ポンプを起動し、所定レベル以下になると冷房用補助ポンプの運転を停止し、室外機における前記流体の液面が所定レベル以上になると室外機における熱源投入を停止することを特徴とする空調装置の運転制御方法。
【請求項２】
吸収式冷凍機からなる室外機と、全数もしくは過半数が室外機より下方に設置された複数の室内機との間で、相変化可能な流体を液相と気相との比重差と、液相管に設置した冷房用補助ポンプの吐出力とを利用して循環させ、各室内機において冷房可能に構成すると共に、前記冷房用補助ポンプの吸入側に、暖房運転時に開弁し、冷房運転時に閉弁する開閉弁を介して暖房用ポンプの吐出側を連結し、且つ、この暖房用ポンプの吸入側を前記冷房用補助ポンプの吐出側に設けた、冷房運転時に開弁し、暖房運転時に閉弁する開閉弁と室内機との間に連結し、室外機で吸熱して蒸発した気体を室内機に導入して放熱・凝縮させ、この凝縮した液体を前記暖房用ポンプの吐出力によって室外機に戻し、各室内機において暖房可能に構成した空調装置において、冷房用補助ポンプと暖房用ポンプの吸入側にそれぞれ液面検知手段を有する第１・第２のレシーバタンクを設けると共に、室外機を流れる前記流体の液面を検出する液面検知手段を設け、暖房運転時に、第２のレシーバタンクの液面が所定レベル以上になると暖房用ポンプを起動し、所定レベル以下になると暖房用ポンプの運転を停止すると共に、室外機における前記流体の液面が第１の所定レベル以上になると暖房用ポンプの運転を停止し、室外機における前記流体液面が前記第１の所定レベルより低い第２の所定レベル以下になると室外機における熱源投入を停止することを特徴とする空調装置の運転制御方法。
【発明の詳細な説明】
【０００１】
【発明の属する技術分野】
本発明は空調装置に関するものであり、特に詳しくは室外機と、全数もしくは過半数が室外機より下方に設置された複数の室内機との間で、相変化可能な流体を主に液体と気体との比重差を利用して循環させ、各室内機において少なくとも冷房可能に構成した装置の制御に関するものである。
【０００２】
【従来の技術】
従来から、相変化可能な流体、すなわち潜熱を出し入れすることによって液体と気体との間で状態が変化する流体の搬送動力を必要としない空調装置として、例えば図８に示されるような装置があるが、この装置は凝縮器として機能する室外機１を建物の高所位置に設置し、この室外機１と、これより低い位置にある被空調室に設置の室内機４の熱交換器５との間を液相管６と気相管７とで連結し、室外機１で放熱・凝縮した液体をその自重によって室内機４の熱交換器５に液相管６を介して供給する一方、室内機４の熱交換器５で温度の高い室内空気と熱交換して吸熱・蒸発した気体を、流体が凝縮して低圧となっている室外機１に気相管７を介して還流させることで循環を可能とするものであから、電動ポンプなどの搬送動力が不要となり、ランニングコストが抑制できると云った利点がある。なお、８は流量調整弁、９は送風機である。
【０００３】
【発明が解決しようとする課題】
しかし、この種の空調装置にあっては、封入した相変化が可能な流体の圧力が急激に変化すると沸騰や気泡発生などが起こって円滑な循環ができなくなり、空調に不調を来す恐れがあった。また、冷房運転中に相変化可能な流体が室外機に液体の状態で多量に溜って室内機に循環する量が不足することがある、などと云った問題点があり、これらの解決が課題となっていた。
【０００５】
【課題を解決するための手段】
本発明は上記従来技術の課題を解決するため、吸収式冷凍機からなる室外機と、全数もしくは過半数が室外機より下方に設置された複数の室内機との間で、相変化可能な流体を液相と気相との比重差と、液相管に設置した冷房用補助ポンプの吐出力とを利用して循環させ、各室内機において冷房可能に構成すると共に、前記冷房用補助ポンプの吸入側に、暖房運転時に開弁し、冷房運転時に閉弁する開閉弁を介して暖房用ポンプの吐出側を連結し、且つ、この暖房用ポンプの吸入側を前記冷房用補助ポンプの吐出側に設けた、冷房運転時に開弁し、暖房運転時に閉弁する開閉弁と室内機との間に連結し、室外機で吸熱して蒸発した気体を室内機に導入して放熱・凝縮させ、この凝縮した液体を前記暖房用ポンプの吐出力によって室外機に戻し、各室内機において暖房可能に構成した空調装置において、冷房用補助ポンプと暖房用ポンプの吸入側にそれぞれ液面検知手段を有する第１・第２のレシーバタンクを設けると共に、室外機を流れる前記流体の液面を検出する液面検知手段を設け、冷房運転時に、第１のレシーバタンクの液面が所定レベル以上になると冷房用補助ポンプを起動し、所定レベル以下になると冷房用補助ポンプの運転を停止し、室外機における前記流体の液面が所定レベル以上になると室外機における熱源投入を停止するようにした第１の構成の運転制御方法と、
【０００６】
吸収式冷凍機からなる室外機と、全数もしくは過半数が室外機より下方に設置された複数の室内機との間で、相変化可能な流体を液相と気相との比重差と、液相管に設置した冷房用補助ポンプの吐出力とを利用して循環させ、各室内機において冷房可能に構成すると共に、前記冷房用補助ポンプの吸入側に、暖房運転時に開弁し、冷房運転時に閉弁する開閉弁を介して暖房用ポンプの吐出側を連結し、且つ、この暖房用ポンプの吸入側を前記冷房用補助ポンプの吐出側に設けた、冷房運転時に開弁し、暖房運転時に閉弁する開閉弁と室内機との間に連結し、室外機で吸熱して蒸発した気体を室内機に導入して放熱・凝縮させ、この凝縮した液体を前記暖房用ポンプの吐出力によって室外機に戻し、各室内機において暖房可能に構成した空調装置において、冷房用補助ポンプと暖房用ポンプの吸入側にそれぞれ液面検知手段を有する第１・第２のレシーバタンクを設けると共に、室外機を流れる前記流体の液面を検出する液面検知手段を設け、暖房運転時に、第２のレシーバタンクの液面が所定レベル以上になると暖房用ポンプを起動し、所定レベル以下になると暖房用ポンプの運転を停止すると共に、室外機における前記流体の液面が第１の所定レベル以上になると暖房用ポンプの運転を停止し、室外機における前記流体液面が前記第１の所定レベルより低い第２の所定レベル以下になると室外機における熱源投入を停止するようにした第２の構成の運転制御方法と、
を提供するものである。
【０００７】
【発明の実施の形態】
以下、本発明の実施形態について、図１〜図７を参照して説明する。なお、理解を容易にするため、これらの図においても前記図８において説明した部分と同様の機能を有する部分には、同一の符号を付した。
【０００８】
図１は、本発明になる運転制御方法によって制御する空調装置の一構成例を示したものであり、１は冷熱または温熱を選択的に発生させることができる、例えば吸収式冷凍機などからなる室外機であり、建物の例えば屋上にある機械室などに設置され、例えば蒸発器の内部に配管した熱交換器２を介して、閉回路３に封入した相変化が可能な流体、例えば低温度でも圧力が低下すると容易に蒸発し得る、Ｒ−１３４ａと熱の授受を行う。
【０００９】
なお、蒸発器に配管した熱交換器２から冷熱を供給したり、温熱を供給することができる吸収式冷凍機としては、例えば特開平７−３１８１８９号公報などに開示されたものが使用できる。
【００１０】
５は、建物の各部屋に設置した室内機４の熱交換器であり、室外機１の熱交換器２とは、図のように液相管６・気相管７および流量調整弁８によって配管・接続されて、前記閉回路３を形成している。
【００１１】
そして、液相管６には、室外機１の熱交換器２で放熱し、凝縮して流れ出た液体のＲ−１３４ａを溜めるためのレシーバタンク１０と、このタンクに溜ったＲ−１３４ａを室内機４に搬送するための電動ポンプ１１と、開閉弁１２とを直列に設置すると共に、この経路とは並行に、室内機４の熱交換器５で暖房作用を行って凝縮し、流れ出た液体のＲ−１３４ａを溜めるためのレシーバタンク１３と、このタンクに溜ったＲ−１３４ａを室外機１に戻すための電動ポンプ１４と、開閉弁１５とを直列に設置し、レシーバタンク１０と１３には、それぞれ上下二箇所に液面を検知するためのセンサ１６と１７、１８と１９とを設けてある。
【００１２】
また、室外機１の熱交換器２の出入口部を連通し、この部分に液面検知管２０を設置すると共に、この液面検知管２０の上下二箇所にも液面センサ２１と２２とを設けてある。
【００１３】
また、２３は図示しない吸収液を加熱して冷媒蒸気を蒸発分離するためのバーナ２４に接続した燃料管に設けた燃料調整弁、２５は熱交換器２から液相管６に流れ出たＲ−１３４ａの圧力を検出するための圧力センサ、２６〜２９は閉回路３を循環しているＲ−１３４ａの温度を検出するための温度センサであり、温度センサ２６と２７は熱交換器２の出入口部に、温度センサ２８と２９は熱交換器５の出口部に、それぞれ設けられている。
【００１４】
また、室外機１には室外制御装置３０を、室内機４には室内制御装置３１を設けてある。そして、室外制御装置３０は、冷房運転中は圧力センサ２５が検出するＲ−１３４ａの圧力、すなわち熱交換器２で冷却作用を受けて凝縮し、液相管６に吐出するＲ−１３４ａの圧力が所定圧力、例えばＲ−１３４ａが７℃で凝縮する時の平衡圧力７．５Ｐａ程度になるように、燃料調整弁２３の開度を調節する機能を備えると共に、温度センサ２７が検出するＲ−１３４ａの温度が所定温度、すなわち熱交換器２で冷却作用を受けて凝縮し、液相管６に吐出するＲ−１３４ａの温度が、例えば５℃以下に低下すると燃料調整弁２３を閉弁する機能を備え、暖房運転中は温度センサ２６が検出するＲ−１３４ａの温度、すなわち熱交換器２で加熱作用を受けて蒸発し、気相管６に吐出するＲ−１３４ａの温度が所定温度、例えば５５℃になるように、燃料調整弁２３の開度を調節する機能を備えており、室内制御装置３１は、冷房運転中は温度センサ２９が検出するＲ−１３４ａの温度、すなわち熱交換器５を介して冷房作用を行って蒸発し、温度上昇して気相管７に吐出するＲ−１３４ａの温度が所定温度、例えば１２℃になるように流量調整弁８の開度を調節する機能を備え、暖房運転中は温度センサ２８が検出するＲ−１３４ａの温度、すなわち熱交換器５を介して暖房作用を行って凝縮し、温度低下して液相管６に吐出するＲ−１３４ａの温度が所定温度、例えば５０℃になるように流量調整弁８の開度を調節する機能を備えている。
【００１５】
また、室内制御装置３１と通信可能で、冷暖房の指定、運転の開始と停止、送風の強弱選択、温度設定などが行えるリモコン３２を各室内機４に対応して設置してある。
【００１６】
そして、室外機１においては、冷房モードでの運転中に燃料調整弁２３の開度を大きくし、バーナ２４に供給する燃料を増やして火力を増加すると、図示しない吸収液から蒸発分離する冷媒の量が増加する。この増加した冷媒蒸気が、図示しない凝縮器で放熱して凝縮し、液体となって熱交換器２の周囲に供給され、熱交換器２内を流れるＲ−１３４ａから熱を奪って蒸発するので、熱交換器２内を流れるＲ−１３４ａを冷却する機能が強化され、流量が同じであればその温度低下幅が拡大する。逆に、燃料調整弁２３の開度を小さくしてバーナ２４の火力を減じると、熱交換器２内を流れるＲ−１３４ａを冷却する機能が弱まり、その温度低下幅は縮小する。一方、暖房モードでの運転中に燃料調整弁２３の開度を大きくし、バーナ２４に供給する燃料を増やして火力を増加すると、図示しない吸収液から蒸発分離する冷媒の量が増加する。この増加した冷媒蒸気と、加熱されて冷媒を蒸発分離した吸収液とが、熱交換器２の周囲に供給され、熱交換器２内を流れるＲ−１３４ａに放熱するので、熱交換器２内を流れるＲ−１３４ａを加熱する機能が強化され、流量が同じであればその温度上昇幅が拡大する。逆に、燃料調整弁２３の開度を小さくしてバーナ２４の火力を減じると、熱交換器２内を流れるＲ−１３４ａを加熱する機能が弱まり、その温度上昇幅は縮小する。
【００１７】
一方、室内機４においては、流量調整弁８の開度が同じであれば、空調負荷が大きいほど温度センサ２８と２９が検出するＲ−１３４ａの温度差は拡大し、空調負荷が小さいほど前記温度差は縮小する。
【００１８】
次に、閉回路３に封入したＲ−１３４ａの循環サイクルを説明すると、冷房運転は室外制御装置３０が出力する制御信号に基づいて、開閉弁１５が閉弁し、電動ポンプ１４の運転が停止した状態で、開閉弁１２が開弁し、電動ポンプ１１が起動して行われる。そして、室外機１では前記のようにして冷熱が発生しており、この冷熱によってＲ−１３４ａが熱交換器２の管壁を介して冷却され、凝縮して７．５Ｐａ、７℃で液相管６に吐出し、レシーバタンク１０に溜まり、電動ポンプ１１の搬送力によって各室内機４に供給される。
【００１９】
そして、電動ポンプ１１の運転は、室外制御装置３０によって例えば図２に示したように制御される。すなわち、レシーバタンク１０の上部側に設置した液面センサ１７がＲ−１３４ａを検出しているときには電動ポンプ１１を運転し、下部側に設置した液面センサ１６がＲ−１３４ａを検出していないときには電動ポンプ１１の運転を停止し、液面センサ１６がＲ−１３４ａを検出し、液面センサ１７がＲ−１３４ａを検出していないときには、電動ポンプ１１が運転中であれば運転を継続し、停止中であれば停止を継続するように制御される。
【００２０】
一方、各室内機４においては、送風機９によって温度の高い室内空気が熱交換器５に強制的に供給されているので、室外機１から７℃で供給された液体のＲ−１３４ａは室内空気から熱を奪って蒸発し、冷房作用を行なう。
【００２１】
そして、気体となったＲ−１３４ａは、冷却されて凝縮・液化し、低圧になっている室外機１の熱交換器２に気相管７を通って流入する。
【００２２】
このＲ−１３４ａの循環において、ある室内機４における冷房負荷が増加（または減少）し、その室内機４の温度センサ２９が検出するＲ−１３４ａの温度が上昇（または低下）すると、その温度上昇（または温度低下）が解消するように、その室内制御装置３１からの制御信号を受けて該当する流量調整弁８の開度が増加（または減少）し、冷房負荷が増加した室内機４の熱交換器５に流入するＲ−１３４ａの量が増加（または減少）するので、その温度センサ２９が検出するＲ−１３４ａの温度上昇（または低下）はその内解消する。
【００２３】
冷房負荷の変動に起因する室内機４におけるＲ−１３４ａの圧力と温度の変化は、室外機１では圧力センサ２５が検出するＲ−１３４ａの圧力にいち早く影響が表れる。すなわち、温度センサ２７がＲ−１３４ａの温度変化を検出するは、室内機４で温度が変化したＲ−１３４ａが室外機１に実際に流入して初めて影響が表れる（Ｒ−１３４ａの循環速度に比較すると熱伝導は無視し得る）が、室内機４におけるＲ−１３４ａの圧力の変化は速やかに室外機１に伝わる。
【００２４】
そして、圧力センサ２５が検出する応答性に優れたＲ−１３４ａの圧力に基づいて、燃料調整弁２３の開度が制御される。具体的には、圧力センサ２５が検出するＲ−１３４ａの圧力に変化が表れると、その変化を解消するように燃料調整弁２３の開度を室外制御装置３０によって容量制御する。
【００２５】
燃料調整弁２３は、温度センサ２７の出力によっても制御される。すなわち、室外制御装置３０は温度センサ２７とも繋がっており、例えば図３に示したように、温度センサ２７が検出するＲ−１３４ａの温度、すなわち熱交換器２で冷却されて凝縮したＲ−１３４ａの温度が所定温度、例えば５℃より高いときには、バーナ２４による加熱の継続を指示するが、Ｒ−１３４ａの温度が５℃以下になったときには、燃料調整弁２３の閉弁を指示して燃焼と停止する。
【００２６】
燃料調整弁２３を閉弁し、バーナ２４による加熱を停止すると、熱交換器２の周囲に供給される液状冷媒の量が急速に減り、これにより冷熱の発生量が急減する。そして、所定時間、例えば３分が経過するのを待って温度センサ２７によるＲ−１３４ａの温度検出を繰り返す。
【００２７】
上記制御を行うことによって、燃料調整弁２３の開度、すなわちＲ−１３４ａを冷却する冷熱の発生量を、温度より応答性に優れた圧力に基づいて制御しながらも、室外機１を構成している吸収式冷凍機の冷媒（水）が過冷却現象を起こして氷結すると云った事態は回避できる。
【００２８】
さらに、燃料調整弁２３は、熱交換器２で凝縮したＲ−１３４ａの液面レベルに基づいても制御される。すなわち、室外制御装置３０は液面検知管２０の下部側に設置した液面センサ２１とも繋がっており、例えば図４に示したように、液面センサ２１がＲ−１３４ａを検出していないときには、バーナ２４による加熱の継続を指示するが、液面センサ２１がＲ−１３４ａを検出したときには、燃料調整弁２３の閉弁を指示して燃焼を停止し、冷熱の発生を停止させる。
【００２９】
燃料調整弁２３を閉弁してバーナ２４による加熱を停止すると、前記したように熱交換器２の周囲に供給する液状冷媒の量が急減し、Ｒ−１３４ａの温度が上昇する。このため、この部分の圧力が上昇し、これにより熱交換器２内にあるＲ−１３４ａは液相管６に吐出し易くなる。そして、所定時間、例えば３分が経過するのを待って液面センサ２１によるＲ−１３４ａの検出を繰り返す。
【００３０】
上記制御を行うことによって、室外機１にＲ−１３４ａの液体が多量に溜って室内機４に循環するＲ−１３４ａが不足すると云ったことが回避される。
【００３１】
次に、開閉弁１２を閉弁し、電動ポンプ１１の運転を停止した状態で、開閉弁１５を開弁し、電動ポンプ１４を起動して行う暖房運転時のＲ−１３４ａの循環サイクルと、そのときの機器制御について説明する。
【００３２】
室外機１では前記のようにして温熱が発生しており、この温熱によってＲ−１３４ａが熱交換器２の管壁を介して加熱され、蒸発して気相管７に吐出し、室内機４の各熱交換器５に所定温度、例えば５５℃で供給される。
【００３３】
各室内機４においては、送風機９によって温度の低い室内空気が熱交換器５に強制的に供給されているので、室外機１から５５℃で供給された気体のＲ−１３４ａは室内空気に放熱して凝縮し、暖房作用を行なう。
【００３４】
そして、凝縮して液体となったＲ−１３４ａは、レシーバタンク１３に溜り、電動ポンプ１４によって室外機１の熱交換器２に液相管６を通って送られる。
【００３５】
このとき、電動ポンプ１４は室外制御装置３０によって、例えば図５に示したように制御される。すなわち、レシーバタンク１３の上部側に設置した液面センサ１９がＲ−１３４ａを検出しているときには電動ポンプ１４を運転し、下部側に設置した液面センサ１８がＲ−１３４ａを検出していないときには電動ポンプ１４の運転を停止し、液面センサ１８がＲ−１３４ａを検出し、液面センサ１９がＲ−１３４ａを検出していないときには、電動ポンプ１４が運転中であれば運転を継続し、停止中であれば停止を継続するように制御される。
【００３６】
さらに、電動ポンプ１４は、熱交換器２で加熱されて蒸発しているＲ−１３４ａの液面レベルに基づいても制御される。すなわち、室外制御装置３０は液面検知管２０の上部側に設置した液面センサ２２とも繋がっており、例えば図６に示したように、液面センサ２２がＲ−１３４ａを検出していないときには、電動ポンプ１４の運転継続を指示するが、液面センサ２２がＲ−１３４ａを検出したときには、電動ポンプ１４の運転停止が指示される。
【００３７】
電動ポンプ１４をこのように制御することによって、液体のＲ−１３４ａが気相管７に流入する事態が回避される。そして、所定時間、例えば１分が経過するのを待って液面センサ２２によるＲ−１３４ａの検出を繰り返す。
【００３８】
なお、上記Ｒ−１３４ａの循環において、ある室内機４における暖房負荷が増加（または減少）し、その室内機４の温度センサ２８が検出するＲ−１３４ａの温度が低下（または上昇）すると、その温度低下（または温度上昇）が解消するように、その室内制御装置３１からの制御信号を受けて該当する流量調整弁８の開度が増加（または減少）し、暖房負荷が増加した室内機４の熱交換器５に流入するＲ−１３４ａの量が増加（または減少）するので、その温度センサ２９が検出するＲ−１３４ａの温度低下（または上昇）はその内解消する。
【００３９】
そして、暖房負荷の変動に起因する、温度が変化したＲ−１３４ａが室外機１に流入したり、室外機１に流入するＲ−１３４ａの流量が変化して、温度センサ２６が検出するＲ−１３４ａの温度に変化が生じると、その変化を解消するように、燃料調整弁２３の開度が室外制御装置３０により制御される。
【００４０】
また、燃料調整弁２３は、液面センサ２１の出力によっても制御される。すなわち、燃料調整弁２３は、室外制御装置３０により、例えば図７に示したように、液面センサ２１がＲ−１３４ａを検出しているときには、バーナ２４による加熱の継続が指示されるが、液面センサ２１がＲ−１３４ａを検出していないときには、燃料調整弁２３を閉弁しバーナ２４による加熱を停止が指示される。
【００４１】
上記制御によって、液体のＲ−１３４ａが不足しているときのバーナ２４による加熱、いわゆる空焚きが回避される。そして、所定時間、例えば３分が経過するのを待って液面センサ２１によるＲ−１３４ａの検出を繰り返す。
【００４２】
なお、本発明は上記実施形態に限定されるものではないので、特許請求の範囲に記載の趣旨から逸脱しない範囲で各種の変形実施が可能である。
【００４３】
例えば、温度センサ２８・２９は、熱交換器５に吹き付ける室内空気の温度変化が検出できるように設置したり、温度センサ２８・２９に代えて、熱交換器５の出入口部におけるＲ−１３４ａの圧力差が検出できる圧力センサを設置して、室内制御装置３１に空調負荷として出力するように構成することもできる。
【００４４】
また、閉回路３に封入する相変化可能な流体としては、Ｒ−１３４ａの他にも、Ｒ−４０７ｃ、Ｒ−４０４Ａ、Ｒ−４１０ｃなど、潜熱による熱移動が可能なものであっても良い。
【００４６】
【発明の効果】
以上説明したように、請求項１の発明によれば、室外機に相変化が可能な液体が多量に溜って室内機に循環する量が不足すると云ったことが回避される。
【００４７】
また、請求項２の発明によれば、蒸発器として機能している室外機から気相管に相変化可能な流体が液体のまま流入すると云った事態が回避でき、さらに、室外機における空焚きが回避される。
【図面の簡単な説明】
【図１】装置構成の説明図である。
【図２】冷房用補助ポンプの制御の説明図である。
【図３】過冷却を防止する制御の説明図である。
【図４】相変化可能な流体の循環量不足を防ぐ制御の説明図である。
【図５】暖房用ポンプの制御の説明図である。
【図６】相変化可能な流体が気相管に液体で流入するのを防ぐ制御の説明図である。
【図７】室外機における空焚きを防ぐ制御例の説明図である。
【図８】従来技術の説明図である。
【符号の説明】
１  室外機
２  熱交換器
３  閉回路
４  室内機
５  熱交換器
６  液相管
７  気相管
８  流量調整弁
９  送風機
１０  レシーバタンク
１１  電動ポンプ
１２  開閉弁
１３  レシーバタンク
１４  電動ポンプ
１５  開閉弁
１６〜１９  液面センサ
２０  液面検知管
２１・２２  液面センサ
２３  燃料調整弁
２４  バーナ
２５  圧力センサ
２６〜２９  温度センサ
３０  室外制御装置
３１  室内制御装置
３２  リモコン
【図１】
0003615353.tif 000002
【図２】
0003615353.tif 000003
【図３】
0003615353.tif 000004
【図４】
0003615353.tif 000005
【図５】
0003615353.tif 000006
【図６】
0003615353.tif 000007
【図７】
0003615353.tif 000008
【図８】
0003615353.tif 000009